(57)【要約】【課題】簡単な構造によって覆蓋同士のシール効果を向上させた覆蓋構造を提供する。【解決手段】第１の覆蓋１０及び第２の覆蓋２０とが、それぞれ、その裏面の、両側縁からやや後退した部分に長尺方向に沿って主梁１４，２４が設けられ、両端縁または両端縁からやや後退した部分に短尺方向に沿って横梁１４，２４が設けられているものからなり、前記第１の覆蓋１０の横梁１４または該横梁の隣接部分には、上方になるにつれて次第に相互間距離が接近するような一対の上向きの傾斜面が短尺方向に沿って設けられており、前記第２の覆蓋２０の横梁２４または該横梁の隣接部分には、下方になるにつれて次第に相互間距離が接近するような、前記第１の覆蓋の一対の傾斜面に相対する下向きの傾斜面が短尺方向に沿って設けられており、その第１の覆蓋１０の傾斜面と第２の覆蓋２０の傾斜面間にシール部材Ｓ２，Ｓ２が介在されるようにして、第１の覆蓋１０間に第２の覆蓋２０が架設されている覆蓋構造である。【選択図】  図３
2004244061.tif 000002
【特許請求の範囲】
【請求項１】
長尺の天板の両側縁に長尺方向に沿って側方に突出するシール板が設けられた第１の覆蓋と、両側縁にシール板が設けられていない第２の覆蓋とが、第１の覆蓋のシール板上に第２の覆蓋の側縁を載置するように交互に架設された覆蓋構造であって、前記第１の覆蓋及び第２の覆蓋とが、それぞれ、その裏面の、両側縁からやや後退した部分に長尺方向に沿って主梁が設けられ、両端縁または両端縁からやや後退した部分に短尺方向に沿って横梁が設けられているものからなり、前記第１の覆蓋の横梁または該横梁の隣接部分には、上方になるにつれて次第に相互間距離が接近するような一対の上向きの傾斜面が上記天板の短尺方向に沿って設けられており、前記第２の覆蓋の横梁または該横梁の隣接部分には、下方になるにつれて次第に相互間距離が接近するような、前記第１の覆蓋の一対の傾斜面に相対する下向きの傾斜面が前記天板の短尺方向に沿って設けられており、その第１の覆蓋の傾斜面と第２の覆蓋の傾斜面間にシール部材が介在されるようにして、第１の覆蓋間に第２の覆蓋が架設されていることを特徴とする覆蓋構造。
【請求項２】
第１の覆蓋と第２の覆蓋において、それぞれの横梁の長手方向端切が傾斜面を有し、シール部材を介在して架設され、第１の覆蓋の横梁は上方になるにつれて相互間距離が接近し、第２の覆蓋の横梁は下方になるにつれて相互間距離が接近するように形成されていることを特徴とする請求項１記載の覆蓋構造。
【発明の詳細な説明】
【０００１】
【発明の属する技術分野】
本発明は、下水処理施設などに設置される汚水槽や汚水路などを覆うために架設される覆蓋構造に関するものである。
【０００２】
【従来の技術】
汚水槽や汚水路に架設される覆蓋構造は、本来の蓋の役目と同時に特に防臭性が要求される。
【０００３】
図１０は従来より用いられている覆蓋構造の一例を示したもので、図９（ａ）に示す第１の覆蓋１００と、図９（ｂ）に示す第２の覆蓋２００とを交互に隣接させて架設するものである。
【０００４】
図９（ａ）に示すように、第１の覆蓋１００は、長尺の天板１０１の長尺方向の両側縁１０１ａ，１０１ａに長尺方向に沿って側方に突出するようにシール板１０２，１０２が設けられている。各シール板１０２上にはシール部材Ｓが取り付けられている。
天板１０１の下面周辺部には、両側縁からやや後退した部分に長尺方向に沿って主梁１０３が設けられており、両端縁からやや後退した部分に短尺方向に沿って主梁１０３の両端部間を連結するような横梁１０４が設けられている。
【０００５】
一方、図９（ｂ）に示すように、第２の覆蓋２００は、長尺の天板２０１の両側縁２０１ａにはシール板は設けられていない。
天板２０１の下面周辺部には、両側縁からやや後退した部分に長尺方向に沿って主梁２０２が設けられており、両端縁からやや後退した部分に短尺方向に沿って主梁２０３の両端部間を連結するような横梁２０３が設けられている。
【０００６】
このような第１の覆蓋１００と第２の覆蓋２００は、図８に示すように、第１の覆蓋１００のシール板１０２，１０２上に第２の覆蓋２００の側縁２０１ａ，２０１ａを載せ、第１の覆蓋１００の側縁１０１ａと第２の覆蓋２００の側縁２０１ａを突き合わせるように交互に架設する。これにより、第２の覆蓋２００の側縁２０１ａの下面がシール部材Ｓに密接されて覆蓋同士のシールが行われるようにしている。
【０００７】
ところで、通常このような第１の覆蓋１００と第２の覆蓋２００を用いて、据え置きタイプの覆蓋構造を架設する場合、予め、汚水槽や汚水路などの開口縁部（図示せず）上に、第１の覆蓋１００を、その主梁１０３の両端部及び横梁１０４を掛け渡すようにして、間隔をおいて複数並べ、第１の覆蓋１００同士の間に第２の覆蓋２００を順次嵌め込んでいく。この場合、嵌め込むときの施工性をよくしたり、取り外し易くするために、隣接した第１の覆蓋１００の横梁１０４と第２の覆蓋２００の横梁２０２の端部間に若干の間隙Ｋ，Ｋをあける必要があるが、この間隙Ｋ，Ｋをシールすることができず、防臭性が充分でないという問題点があった。
【０００８】
【発明が解決しようとする課題】
本発明は、前記した事情に鑑みて提案されるもので、簡単な構造によって覆蓋同士のシール効果を向上させた覆蓋構造を提供することを目的としている。
【０００９】
【課題を解決するための手段】
本願の請求項１に係る発明（本発明１）は、長尺の天板の両側縁に長尺方向に沿って側方に突出するシール板が設けられた第１の覆蓋と、両側縁にシール板が設けられていない第２の覆蓋とが、第１の覆蓋のシール板上に第２の覆蓋の側縁を載置するように交互に架設された覆蓋構造であって、前記第１の覆蓋及び第２の覆蓋とが、それぞれ、その裏面の、両側縁からやや後退した部分に長尺方向に沿って主梁が設けられ、両端縁または両端縁からやや後退した部分に短尺方向に沿って横梁が設けられているものからなり、前記第１の覆蓋の横梁または該横梁の隣接部分には、上方になるにつれて次第に相互間距離が接近するような一対の上向きの傾斜面が上記天板の短尺方向に沿って設けられており、前記第２の覆蓋の横梁または該横梁の隣接部分には、下方になるにつれて次第に相互間距離が接近するような、前記第１の覆蓋の一対の傾斜面に相対する下向きの傾斜面が前記天板の短尺方向に沿って設けられており、その第１の覆蓋の傾斜面と第２の覆蓋の傾斜面間にシール部材が介在されるようにして、第１の覆蓋間に第２の覆蓋が架設されている覆蓋構造である。
【００１０】
本願の請求項１に係る発明（本発明２）は、第１の覆蓋と第２の覆蓋において、それぞれの横梁の長手方向端切が傾斜面を有し、シール部材を介在して架設され、第１の覆蓋の横梁は上方になるにつれて相互間距離が接近し、第２の覆蓋の横梁は下方になるにつれて相互間距離が接近するように形成されている本発明１記載の覆蓋構造である。
【００１１】
本発明において、第１の覆蓋及び第２の覆蓋は、ガラス繊維強化プラスチック発泡体を素材とする板材で構成するのが良く、耐久性、加工性が向上すると共に軽量化を実現できる。さらに好ましくは、覆蓋を構成する板材は、長尺方向に向けて埋設した長繊維で補強した樹脂（これを「合成木材」という）により形成することができ、より好ましくはガラス長繊維を長尺方向に引き揃えて埋設した熱硬化性樹脂発泡体により形成することができる。また、上記合成木材単体からなる板材により覆蓋を構成してもよいが、合成木材や樹脂発泡体などからなる板材を上下に積層してなる複合材により覆蓋を形成することもできる。なお、合成木材の密度は、一般的には５００〜１０００ｋｇ／ｍ３  （０．５〜１．０ｇ／ｃｍ３  ）であり、補強材である長繊維の含有量は４０〜６０重量％程度のものとすることができる。長繊維としては、無機質、有機質のいずれを使用してもよいが、ガラス繊維を使用することが好ましい。熱硬化性樹脂発泡体としては、硬質ポリウレタン樹脂や硬質ポリエステル樹脂を好適に使用できる。
【００１２】
【作用】
本発明１の覆蓋構造は、前記第１の覆蓋及び第２の覆蓋とが、それぞれ、その裏面の、両側縁からやや後退した部分に長尺方向に沿って主梁が設けられ、両端縁または両端縁からやや後退した部分に短尺方向に沿って横梁が設けられているものからなり、前記第１の覆蓋の横梁または該横梁の隣接部分には、上方になるにつれて次第に相互間距離が接近するような一対の上向きの傾斜面が上記天板の短尺方向に沿って設けられており、前記第２の覆蓋の横梁または該横梁の隣接部分には、下方になるにつれて次第に相互間距離が接近するような、前記第１の覆蓋の一対の傾斜面に相対する下向きの傾斜面が前記天板の短尺方向に沿って設けられており、その第１の覆蓋の傾斜面と第２の覆蓋の傾斜面間にシール部材が介在されるようにして、第１の覆蓋間に第２の覆蓋が架設されていることにより、簡単な構造にして、汚水槽や汚水路などを覆うための架設作業や取り外し作業が容易であって、かつ、隣接した第１の覆蓋の横梁と第２の覆蓋の横梁の端部間をシール部材によりシールすることができる。
【００１３】
本発明２の覆蓋構造は、第１の覆蓋と第２の覆蓋において、それぞれの横梁の長手方向端切が傾斜面を有し、シール部材を介在して架設され、第１の覆蓋の横梁は上方になるにつれて相互間距離が接近し、第２の覆蓋の横梁は下方になるにつれて相互間距離が接近するように形成されていることにより、簡単な構造にして、汚水槽や汚水路などを覆うための架設作業や取り外し作業が容易であって、かつ、隣接した第１の覆蓋の横梁と第２の覆蓋の横梁の長手方向端切間をシール部材によりシールすることができる。
【００１４】
【発明の実施の形態】
以下、本発明の実施の形態を図面を参照して説明する。
図１及び図２は、それぞれ、本発明の覆蓋構造に用いられる、第１の覆蓋及び第２の覆蓋の一例の説明図であり、図３は、それらを架設した、本発明の覆蓋構造の一例の説明図である。
【００１５】
図１に示すように、第１の覆蓋１０は、長尺の天板１１の両側縁１１ａに長尺方向に沿って側方に幅ｄだけ突出するようにシール板１２，１２が設けられている。各シール板１２上には第１のシール部材Ｓ１が装着されている。
天板１１の下面周辺部には、両側縁１１ａ，１１ａからやや後退した部分であって、両端縁部以外の部分に、長尺方向に沿って主梁１３，１３が設けられており、両端縁からやや後退した部分に、短尺方向に沿って主梁１３，１３の両端部間を連結するような横梁１４，１４が設けられている。
主梁１３，１３の長尺方向の中間部間には、相互間を連結するような複数の小梁１５が短尺方向に沿って設けられている。
横梁１４，１４の天板１１の短尺方向に沿う両側面は、上方になるにつれて次第に相互間距離が接近するような上向きの一対の傾斜面とされている。一対の傾斜面上には第２のシール部材Ｓ２，Ｓ２が装着されている。
１６，１６は天板１１上に設けられた取手である。
尚、横梁は天板１１の下面周辺部の端縁に設けられていても構わない。
【００１６】
図２に示すように、第２の覆蓋２０は、長尺の天板２１の長尺方向の両側縁２１ａ，２１ａには、第１の覆蓋１０で説明したようなシール板は設けられていない。
天板２１の下面周辺部には、両側縁２１ａ，２１ａからやや後退した部分であって、両端縁部以外の部分に、長尺方向に沿って主梁２３，２３が設けられており、両端縁からやや後退した部分に、短尺方向に沿って主梁２３，２３の両端部間を連結するような横梁２４，２４が設けられている。
主梁２３，２３の長尺方向の中間部間には、相互間を連結するような複数の小梁２５が短尺方向に沿って設けられている。
横梁２４，２４の天板２１の短尺方向に沿う両側面は、下方になるにつれて次第に相互間距離が接近するような、第１の覆蓋１０の横梁１４，１４の両側面の傾斜面に相対する下向きの一対の傾斜面とされている。
２６，２６は天板２１上に設けられた取手である。
尚、横梁は天板２１の下面周辺部の端縁に設けられていても構わない。
【００１７】
図３は、図１に示す第１の覆蓋１０と図２に示す第２の覆蓋２０を用いた、本発明の据え置きタイプの覆蓋構造の一例を示す説明図である。
図３に示すように、この覆蓋構造では、予め、汚水槽や汚水路などの開口縁部３０，３０上に、第１の覆蓋１０を、その主梁１３，１３の両端部及び横梁１４，１４を掛け渡すようにして、間隔をおいて複数並べられている。第１の覆蓋１０のシール板１３，１３上に、第１のシール部材Ｓ１，Ｓ１を介在するようにして、第２の覆蓋２０の側縁２１ａ，２１ａを載置するように交互に架設されている。
そして、第１の覆蓋１０の傾斜面と第２の覆蓋２０の傾斜面間に、第２のシール部材Ｓ２，Ｓ２が介在されるようにして、第１の覆蓋１０間に第２の覆蓋２０が架設されるようにして、本発明の覆蓋構造が形成されている。
【００１８】
図１に示す第１の覆蓋１０の代わりに、図４に示すような第１の覆蓋３０を用い、図２に示す第２の覆蓋２０の代わりに、図５に示すような第２の覆蓋４０を用いてもよい。
図４に示すように、この第１の覆蓋３０は、長尺の天板３１の両側縁３１ａに長尺方向に沿って側方に突出するようにシール板３２，３２が設けられている。各シール板３２上には第１のシール部材Ｓ１が装着されている。
天板３１の下面周辺部には、両側縁３１ａ，３１ａからやや後退した部分であって、両端縁部以外の部分に、長尺方向に沿って主梁３３，３３が設けられており、両端縁からやや後退した部分に、短尺方向に沿って主梁３３，３３の両端部間を連結するように、天板３１の短尺幅と同じ長さを有する横梁３４，３４が設けられている。
主梁３３，３３の長尺方向の中間部間には、相互間を連結するような複数の小梁３５が短尺方向に沿って設けられている。
横梁３４，３４の両端部の外側面には、端材３７，３７が設けられ、両端材３７，３７における天板３１の短尺方向に沿う外側面は、上方になるにつれて次第に相互間距離が接近するような上向きの一対の傾斜面とされている。一対の傾斜面上には第２のシール部材Ｓ２，Ｓ２が装着されている。
【００１９】
図５に示すように、第２の覆蓋４０は、長尺の天板４１の長尺方向の両側縁４１ａ，４１ａには、第１の覆蓋３０で説明したようなシール板は設けられていない。
天板４１の下面周辺部には、両側縁４１ａ，４１ａからやや後退した部分であって、両端縁部以外の部分に、長尺方向に沿って主梁４３，４３が設けられており、両端縁からやや後退した部分に、短尺方向に沿って主梁４３，４３の両端部間を連結するように、主梁４３，４３の外側面間距離と同じ長さを有する横梁４４，４４が設けられている。
主梁４３，４３の長尺方向の中間部間には、相互間を連結するような複数の小梁４５が短尺方向に沿って設けられている。
横梁４４，４４の両端部の外側面には、端材４７，４７が設けられ、両端材４７，４７における天板４１の短尺方向に沿う外側面は、下方になるにつれて次第に相互間距離が接近するような、第１の覆蓋３０の端材３７，３７の傾斜面に相対する下向きの一対の傾斜面とされている。
なお、横梁４４は、図６に示すように、主梁４３，４３の外側面間距離と同じ長さを有するものとしてもよい。
【００２０】
次に、図４に示す第１の覆蓋３０と図６に示す第２の覆蓋４０を用いた覆蓋構造を、同じ図４及び図６を参照して説明図する。
この覆蓋構造では、予め、汚水槽や汚水路などの開口縁部上に、第１の覆蓋３０を、その主梁３３，３３の両端部及び横梁３４，３４を掛け渡すようにして、間隔をおいて複数並べられている。第１の覆蓋３０のシール板３３上に、第１のシール部材Ｓ１を介在するようにして、第２の覆蓋４０の側縁４１ａ，４１ａを載置するように交互に架設されている。
そして、第１の覆蓋３０の傾斜面と第２の覆蓋４０の傾斜面間に、第２のシール部材Ｓ２，Ｓ２が介在されるようにして、第１の覆蓋３０間に第２の覆蓋４０が架設されるようにして、本発明の覆蓋構造が形成されている。
【００２１】
また、図４に示す第１の覆蓋３０の代わりに、図７に示すような第１の覆蓋３０′を用い、図６に示す第２の覆蓋４０の代わりに、図８に示すような第１の覆蓋４０′を用いてもよい。
図７に示すように、この第１の覆蓋３０′は、横梁３４，３４の両端部の内側面に、端材３７′，３７′が設けられていること以外は図４に示す第１の覆蓋３０と同じである。
図８に示すように、この第２の覆蓋４０′は、横梁４４，４４の両端部の内側面に、端材４７′，４７′が設けられていること以外は図６に示す第２の覆蓋４０と同じである。
【００２２】
【発明の効果】
本発明の覆蓋構造は、上記のとおりの構成とされているので、簡単な構造によって隣接した第１の覆蓋の横梁と第２の覆蓋の横梁の端部間をシール部材によりシールすることができ、防臭性に優れている。
【図面の簡単な説明】
【図１】本発明に用いられる第１の覆蓋の一例の説明図であり、（ａ）はその平面図、（ｂ）はその正面図、（ｃ）は（ａ）におけるＡ−Ａ線に沿う断面図である。
【図２】本発明に用いられる第２の覆蓋の一例の説明図であり、（ａ）はその平面図、（ｂ）はその正面図、（ｃ）は（ａ）におけるＡ−Ａ線に沿う断面図である。
【図３】本発明の覆蓋構造の一例の説明図であり、（ａ）はその正面図、（ｂ）はその側面図である。
【図４】本発明に用いられる第１の覆蓋の別の例の説明図であり、（ａ）はその正面図、（ｂ）はその側面図である。
【図５】本発明に用いられる第２の覆蓋の別の例の説明図であり、（ａ）はその正面図、（ｂ）はその側面図である。
【図６】本発明に用いられる第２の覆蓋の更に別の例の説明図であり、（ａ）はその正面図、（ｂ）はその側面図である。
【図７】本発明に用いられる第１の覆蓋の更に別の例の説明図であり、（ａ）はその正面図、（ｂ）はその側面図である。
【図８】本発明に用いられる第２の覆蓋の更に別の例の説明図であり、（ａ）はその正面図、（ｂ）はその側面図である。
【図９】従来の覆蓋構造の一例の説明図であり、（ａ）はそれに用いられる第１の覆蓋を示す斜視図、（ｂ）はそれに用いられる第２の覆蓋を示す斜視図である。
【図１０】従来の覆蓋構造の一例を説明する正面図である。
【符号の説明】
１０，３０，３０′  第１の覆蓋
２０，４０，４０′  第２の覆蓋
１１，３１，３１′，２１，４１，４１′  天板
１２，３２，３２′  シール板
１３，３３，３３′，２３，４３，４３′  主梁
１４，３４，３４′，２４，４４，４４′  横梁
Ｓ１  第１のシール部材
Ｓ２  第２のシール部材
【図１】
2004244061.tif 000003
【図２】
2004244061.tif 000004
【図３】
2004244061.tif 000005
【図４】
2004244061.tif 000006
【図５】
2004244061.tif 000007
【図６】
2004244061.tif 000008
【図７】
2004244061.tif 000009
【図８】
2004244061.tif 000010
【図９】
2004244061.tif 000011
【図１０】
2004244061.tif 000012